(57)【要約】【課題】移動ネットワークのデータ転送速度を向上させる。【解決手段】ゲートウエイＧＷおよび複数のフォーリンエージェントＦＡをリング状に接続し、相手端末ＣＮから移動端末ＭＮａ宛のＩＰパケットをＧＷが受信する手順（１）と、ＧＷが受信パケットを一方側のリンクＬ１へ転送する手順（２）と、ＦＡ１が受信パケットを一方側のリンクＬ２へ転送する手順（３）と、ＦＡ１がさらに、受信パケットの宛先アドレスがビジターリストに既登録であれば、ＭＮａが接続されているリンクＬ４へも転送する手順（４）と、ＦＡ２が受信パケットを一方側のリンクＬ３へ転送する手順（５）と、  ＦＡ２がさらに、受信パケットの宛先アドレスがビジターリストに未登録であればそのまま終了する手順（６）と、ＧＷが受信パケットを破棄する手順（７）とを含む。【選択図】        図５
2004282473.tif 000002
【特許請求の範囲】
【請求項１】
移動ネットワークにゲートウエイＧＷおよび複数のフォーリンエージェントＦＡ（ＦＡ１〜ＦＡｎ）を設け、ゲートウエイＧＷに接続された外部ネットワーク上の相手端末と移動ネットワーク上の移動端末とが前記ゲートウエイＧＷ  およびフォーリンエージェントＦＡを介して通信する移動ネットワークの通信方法において、
ゲートウエイＧＷおよび複数のフォーリンエージェントＦＡがリング状に接続され、
移動端末が一のフォーリンエージェントＦＡに対して位置登録を要求する手順と、
前記一のフォーリンエージェントＦＡが、前記位置登録要求に応答して前記移動端末のアドレス情報をビジターリストへ登録する手順と、
相手端末から移動端末に宛てて送信されたパケットをゲートウエイＧＷ  が受信する手順と、
前記ゲートウエイＧＷが一方側のフォーリンエージェントＦＡへパケットを転送し、当該フォーリンエージェントＦＡがさらに、一方側の他のフォーリンエージェントＦＡへパケットを転送し、これを繰り返す手順と、
パケットを転送されたフォーリンエージェントＦＡが、その宛先アドレスを自身のビジターリストから検索する手順と、
前記受信パケットの宛先アドレスがビジターリストに既登録であるフォーリンエージェントＦＡが、当該受信パケットを移動端末の接続されたリンクへ転送する手順とを含むことを特徴とする請求項１に記載の移動ネットワークの通信方法。
【請求項２】
移動端末が相手端末宛のパケットを一のフォーリンエージェントへ転送する手順と、
前記一のフォーリンエージェントが、一方側のフォーリンエージェントＦＡへパケットを転送し、当該フォーリンエージェントＦＡがさらに一方側の他のフォーリンエージェントＦＡへパケットを転送し、これをパケットがゲートウエイＧＷに到着するまで繰り返す手順と、
ゲートウエイＧＷが前記パケットを受信して外部ネットワークへ転送する手順とを含むことを特徴とする請求項１に記載の移動ネットワークの通信方法。
【請求項３】
移動ネットワーク上の移動端末が移動ネットワーク上の他の移動端末宛てのパケットを一のフォーリンエージェントＦＡへ転送する手順と、
前記一のフォーリンエージェントＦＡが一方側のフォーリンエージェントＦＡへパケットを転送し、当該フォーリンエージェントＦＡがさらに、一方側の他のフォーリンエージェントＦＡへパケットを転送し、これを繰り返す手順と、
パケットを転送されたフォーリンエージェントＦＡが、その宛先アドレスを自身のビジターリストから検索する手順と、
前記受信パケットの宛先アドレスがビジターリストに既登録であるフォーリンエージェントＦＡが、当該受信パケットを前記他の移動端末の接続されたリンクへ転送する手順とを含むことを特徴とする請求項１または２に記載の移動ネットワークの通信方法。
【請求項４】
移動ネットワークにゲートウエイＧＷおよび複数のフォーリンエージェントＦＡ（ＦＡ１〜ＦＡｎ）を設け、ゲートウエイＧＷに接続された外部ネットワーク上の相手端末と移動ネットワーク上の移動端末とが前記ゲートウエイＧＷ  およびフォーリンエージェントＦＡを介して通信する移動ネットワークの通信方法において、
ゲートウエイＧＷおよび複数のフォーリンエージェントＦＡがリング状に接続され、
フォーリンエージェントＦＡが配下の移動端末に対して、前記ゲートウエイＧＷのアドレスを気付けアドレスＣｏＡとして通知する手順と、
移動端末が前記フォーリンエージェントＦＡに対して、前記気付けアドレスＣｏＡを指定して位置登録を要求する手順と、
前記フォーリンエージェントＦＡが、前記位置登録要求に応答して前記移動端末のアドレス情報をビジターリストへ登録する手順と、
前記フォーリンエージェントＦＡが前記移動端末のホームエージェントＨＡに対して、当該移動端末の位置登録を前記気付けアドレスＣｏＡを指定して要求する手順と、
前記ホームエージェントＨＡが、前記位置登録要求に応答して前記移動端末のアドレス情報をバインディングリストへ登録する手順と、
相手端末から移動端末に宛てて送信されたパケットを前記ホームエージェントＨＡが受信する手順と、
前記ホームエージェントＨＡが前記受信パケットをカプセル化し、前記移動端末に関する気付けアドレスＣｏＡを宛先として送信する手順と、
ゲートウエイＧＷ  が前記カプセルを受信し、これを解除して一方側のフォーリンエージェントＦＡへパケットを転送する手順と、
前記一方側のフォーリンエージェントＦＡがパケットを受信し、当該フォーリンエージェントＦＡがさらに、一方側の他のフォーリンエージェントＦＡへパケットを転送し、これを繰り返す手順と、
パケットを転送されたフォーリンエージェントＦＡが、その宛先アドレスを自身のビジターリストから検索する手順と、
前記受信パケットの宛先アドレスがビジターリストに既登録であるフォーリンエージェントＦＡが、当該受信パケットを移動端末の接続されたリンクへ転送する手順とを含むことを特徴とする移動ネットワークの通信方法。
【請求項５】
移動端末が外部ネットワーク上の相手端末宛のパケットを一のフォーリンエージェントへ転送する手順と、
前記一のフォーリンエージェントが、一方側のフォーリンエージェントＦＡへパケットを転送し、当該フォーリンエージェントＦＡがさらに、一方側の他のフォーリンエージェントＦＡへパケットを転送し、これをパケットがゲートウエイＧＷに到着するまで繰り返す手順と、
ゲートウエイＧＷが前記パケットを受信して外部ネットワークへ転送する手順とを含むことを特徴とする請求項６に記載の移動ネットワークの通信方法。
【請求項６】
移動ネットワーク上の移動端末が移動ネットワーク上の他の移動端末宛のパケットを一のフォーリンエージェントＦＡへ転送する手順と、
前記一のフォーリンエージェントＦＡが、一方側のフォーリンエージェントＦＡへパケットを転送し、当該フォーリンエージェントＦＡがさらに、一方側の他のフォーリンエージェントＦＡへパケットを転送し、これをパケットがゲートウエイＧＷに到着するまで繰り返す手順と、
ゲートウエイＧＷが前記パケットを受信してホームエージェントＨＡへ転送する手順と、
ホームエージェントＨＡが前記受信パケットをカプセル化し、前記移動端末に関する気付けアドレスＣｏＡを宛先として送信する手順と、
ゲートウエイＧＷ  が前記カプセルを受信し、これを解除して一方側のフォーリンエージェントＦＡへパケットを転送する手順と、
前記一方側のフォーリンエージェントＦＡがパケットを受信し、当該フォーリンエージェントＦＡが一方側の他のフォーリンエージェントＦＡへパケットを転送し、これを繰り返す手順と、
パケットを転送されたフォーリンエージェントＦＡが、その宛先アドレスを自身のビジターリストから検索する手順と、
受信パケットの宛先アドレスがビジターリストに既登録であるフォーリンエージェントＦＡが、当該受信パケットを移動端末の接続されたリンクへ転送する手順とを含むことを特徴とする請求項６または７に記載の移動ネットワークの通信方法。
【請求項７】
移動端末の位置登録を完了したフォーリンエージェントＦＡが、当該移動端末のアドレスを含む削除要求メッセージを一方側のフォーリンエージェントＦＡへ転送し、当該フォーリンエージェントＦＡがさらに、一方側の他のフォーリンエージェントＦＡへ前記削除要求メッセージを転送し、これを繰り返す手順と、
前記削除要求メッセージを受信したフォーリンエージェントＦＡが、当該削除要求メッセージに含まれるアドレスをビジターリストから検索する手順と、
前記アドレスがビジターリストに既登録であると、その位置登録を削除する手順とを含むことを特徴とする請求項１ないし６のいずれかに記載の移動ネットワークの通信方法。
【請求項８】
前記移動端末の位置登録を完了したフォーリンエージェントＦＡが、その位置登録時刻ｔ２を登録する手順と、
前記位置登録を完了したフォーリンエージェントＦＡが、前記時刻ｔ２を前記アドレスと共に削除要求メッセージに含ませる手順と、
前記削除要求メッセージを受信したフォーリンエージェントＦＡのビジターリストに、前記削除要求メッセージに含まれるアドレスが既登録であると、当該既登録アドレスの移動端末に関する位置登録時刻ｔ１を前記削除要求メッセージに含まれる位置登録時刻ｔ２と比較する手順とを更に含み、
前記削除要求メッセージを受信したフォーリンエージェントＦＡは、ｔ１＜ｔ２を条件に位置登録を削除することを特徴とする請求項７に記載の移動ネットワークの通信方法。
【請求項９】
移動ネットワークにゲートウエイＧＷおよび複数のフォーリンエージェントＦＡ（ＦＡ１〜ＦＡｎ）を設け、ゲートウエイＧＷに接続された外部ネットワーク上の相手端末と移動ネットワーク上の移動端末とが前記ゲートウエイＧＷ  およびフォーリンエージェントＦＡを介して通信する移動ネットワークの通信方法において、
ゲートウエイＧＷおよび複数のフォーリンエージェントＦＡが当該ゲートウエイＧＷを先頭にライン状に接続され、
移動端末が一のフォーリンエージェントＦＡに対して位置登録を要求する手順と、
前記一のフォーリンエージェントＦＡが、前記位置登録要求に応答して前記移動端末のアドレス情報をビジターリストへ登録する手順と、
相手端末から移動端末に宛てて送信されたパケットをゲートウエイＧＷ  が受信する手順と、
前記ゲートウエイＧＷが下流側のフォーリンエージェントＦＡへパケットを転送し、当該フォーリンエージェントＦＡがさらに、下流側の他のフォーリンエージェントＦＡへパケットを転送し、これを繰り返す手順と、
パケットを転送されたフォーリンエージェントＦＡが、その宛先アドレスを自身のビジターリストから検索する手順と、
受信パケットの宛先アドレスがビジターリストに既登録であるフォーリンエージェントＦＡが、当該受信パケットを移動端末の接続されたリンクへ転送する手順とを含むことを特徴とする移動ネットワークの通信方法。
【請求項１０】
移動端末が相手端末宛のパケットを一のフォーリンエージェントへ転送する手順と、
前記一のフォーリンエージェントが、上流側のフォーリンエージェントＦＡへパケットを転送し、当該フォーリンエージェントＦＡがさらに、上流側の他のフォーリンエージェントＦＡへパケットを転送し、これをパケットがゲートウエイＧＷに到着するまで繰り返す手順と、
ゲートウエイＧＷが前記パケットを受信して外部ネットワークへ転送する手順とを含むことを特徴とする請求項９に記載の移動ネットワークの通信方法。
【請求項１１】
ゲートウエイＧＷおよび複数のフォーリンエージェントＦＡ（ＦＡ１〜ＦＡｎ）を含み、ゲートウエイＧＷに接続された外部ネットワーク上の相手端末とフォーリンエージェントＦＡに収容された移動端末との通信を仲介する移動ネットワークにおいて、
ゲートウエイＧＷおよび複数のフォーリンエージェントＦＡをリング状に接続する複数のリンク手段と、
各フォーリンエージェントＦＡに装備され、位置登録した移動端末のアドレスを管理するビジターリストと、
各フォーリンエージェントＦＡに装備され、ゲートウエイＧＷから転送されたパケットを一方側のフォーリンエージェントＦＡへ転送する手段と、
各フォーリンエージェントＦＡに装備され、ゲートウエイＧＷから転送されたパケットが位置登録済みの移動端末宛であると、当該パケットを前記移動端末へ転送する手段と、
各フォーリンエージェントＦＡに装備され、位置登録済みの移動端末から相手端末に宛てて送信されたパケットを一方側のフォーリンエージェントＦＡへ転送する手段と、
ゲートウエイＧＷに装備され、フォーリンエージェントＦＡから外部ネットワーク上の相手端末宛に転送されたパケットを外部ネットワークへ転送する手段とを含むことを特徴とする移動ネットワーク。
【請求項１２】
ゲートウエイＧＷおよび複数のフォーリンエージェントＦＡを含み、ゲートウエイＧＷに接続された外部ネットワーク上の相手端末とフォーリンエージェントＦＡに収容された移動端末との通信を仲介する移動ネットワークにおいて、
ゲートウエイＧＷおよび複数のフォーリンエージェントＦＡを、当該ゲートウエイＧＷを先頭にライン状に接続する複数のリンク手段と、
各フォーリンエージェントＦＡに装備され、位置登録した移動端末のアドレスを管理するビジターリストと、
各フォーリンエージェントＦＡに装備され、ゲートウエイＧＷから転送されたパケットを下流側のフォーリンエージェントＦＡへ転送する手段と、
各フォーリンエージェントＦＡに装備され、ゲートウエイＧＷから転送されたパケットが位置登録済みの移動端末宛であると、当該パケットを前記移動端末へ転送する手段と、
各フォーリンエージェントＦＡに装備され、位置登録済みの移動端末から転送された相手端末宛のパケットを上流側のフォーリンエージェントＦＡへ転送する手段と、
ゲートウエイＧＷに装備され、フォーリンエージェントＦＡから外部ネットワーク上の相手端末宛に転送されたパケットを外部ネットワークへ転送する手段とを含むことを特徴とする移動ネットワーク。
【発明の詳細な説明】
【０００１】
【発明の属する技術分野】
本発明は移動ネットワークおよびその通信方法に係り、特に、移動端末の収容数が増えてもデータ転送速度が低下しにくい動体ネットワークおよびその通信方法に関する。
【０００２】
【従来の技術】
移動端末が、異なるネットワーク間を移動しても同じＩＰアドレスで通信を継続するための技術としてＭｏｂｉｌｅ  ＩＰが標準化されている（  ＩＰ  Ｍｏｂｉｌｉｔｙ  Ｓｕｐｐｏｒｔ  ｆｏｒ  ＩＰｖ４，  ＲＦＣ３３４４，  ＩＥＴＦ  ２００２．）。
【０００３】
Ｍｏｂｉｌｅ  ＩＰプロトコルでは、移動端末がネットワークを移動する度に、その位置をホームエージェントに登録する必要があり、そのため処理遅延が問題となっている。これを解決するための手法の一つとして、位置管理やデータ転送機能を担うモビリティエージェントを階層化させ、狭い範囲内での移動に対しては途中のモビリティエージェントのみの位置登録で対応する局所的な位置登録が提案されている（Ｍｏｂｉｌｅ  ＩＰｖ４  Ｒｅｇｉｏｎａｌ  Ｒｅｇｉｓｔｒａｔｉｏｎ，  ”ｄｒａｆｔ−ｉｅｔｆ−ｍｏｂｉｌｅｉｐ−ｒｅｇ−ｔｕｎｎｅｌ−０７”，  ＩＥＴＦ  ２００２．）。
【０００４】
図３１は、位置登録を局所的に行う際のネットワーク構成を示している。移動ネットワークにおいて移動端末ＭＮの位置管理を行うフォーリンエージェントＦＡがＲＦＡ  （Ｒｅｇｉｏｎａｌ  ＦＡ）、ＧＦＡ  （Ｇａｔｅｗａｙ  ＦＡ）を用いて階層化されており、移動端末ＭＮが、ＲＦＡやＧＦＡに収容されているＦＡの配下で移動する際には、ＲＦＡやＧＦＡのみを対象とする局所的な位置登録が行われる。
【０００５】
【発明が解決しようとする課題】
従来から提案されている局所的な位置登録ではＦＡが階層化されるため、移動ネットワーク内でパケットが移動端末に到達するまでに、経路上の各ＦＡにおいてルーティング処理が実行され、これが遅延の増大を招いている。また、上位の階層のＦＡほど、経路制御のために保持すべき移動端末の数が多くなるという問題がある。
【０００６】
図３２は、ＦＡを階層的に配置した際に、各ＦＡが収容すべき移動端末の情報を模式的に表したものであり、上位のＦＡほど多くの移動端末の情報を収容する必要がある。
【０００７】
ここで、通常のインターネット（固定網）であれば、アドレス体系がネットワークの接続体系と整合されるように管理されているので、階層化により経路情報が集約され、スケーラビリティの面から有効であった。
【０００８】
これに対して、端末が自由に移動する移動ネットワークでは、移動端末に割り当てられたアドレスとその移動端末が接続されているネットワークのアドレス体系とが必ずしも整合しないため、階層化によるスケーラビリティは得られない。
したがって、上位のＦＡは配下の移動端末の情報をすべて保持する必要があり、これにより処理負荷が増大し、スケーラビリティの面からボトルネックとなっていた。
【０００９】
また、モバイルＩＰ標準では、複数の宛先への位置登録を保持し、これらの宛先へデータを転送するｓｉｍｕｌｔａｎｅｏｕｓ  ｂｉｎｄｉｎｇｓの機能がホームエージェント（ＨＡ）において定義されている。このために、移動端末ＭＮが移動先において通信を開始するためには、ＦＡへの位置登録のみならず、ＨＡへの位置登録も完了している必要があり、ＨＡへの位置登録が滞ると、ＦＡへの位置登録が完了していても通信を開始できないという問題があった。
【００１０】
さらに、モバイルＩＰ標準では、ＭＮ宛のパケットはＭＮの現在位置にかかわらず全てＨＡに送信され、ＨＡでＦＡ宛にカプセル化されて転送されるので、パケットの伝送経路が必然的に長くなり、トラフィックの増大を招いてしまう。のみならず、ＨＡにおけるカプセル化処理や、これを受信したＦＡにおけるカプセル解除処理が必要になるので、ここでの遅延が通信効率を低下させる原因となっていた。
【００１１】
本発明の目的は、上記した従来技術の課題を解決し、各エージェントが位置管理を行う移動端末数を減じることにより位置登録のための処理を簡素化し、データ転送速度の低下を抑えるようにした移動ネットワークおよびその通信方法を提供することにある。
【００１２】
【課題を解決するための手段】
上記した目的を達成するために、本発明は、移動ネットワークにゲートウエイＧＷおよび複数のフォーリンエージェントＦＡを設け、ゲートウエイＧＷに接続された外部ネットワーク上の相手端末と移動ネットワーク上の移動端末とが前記ゲートウエイＧＷ  およびフォーリンエージェントＦＡを介して通信する移動ネットワークの通信方法において、ゲートウエイＧＷおよび複数のフォーリンエージェントＦＡをリング状に接続した。
【００１３】
そして、本発明ではこのようなリング状の移動ネットワークにおいて、移動端末が一のフォーリンエージェントＦＡに対して位置登録を要求する手順と、前記一のフォーリンエージェントＦＡが、前記位置登録要求に応答して前記移動端末のアドレスを自身のビジターリストへ登録する手順と、相手端末から移動端末に宛てて送信されたデータをゲートウエイＧＷ  が受信する手順と、前記ゲートウエイＧＷが一方側のフォーリンエージェントＦＡへデータを転送し、当該フォーリンエージェントＦＡがさらに、一方側の他のフォーリンエージェントＦＡへデータを転送し、これを繰り返す手順と、データを転送されたフォーリンエージェントＦＡが、その宛先アドレスを自身のビジターリストから検索する手順と、受信パケットのアドレスがビジターリストに既登録であるフォーリンエージェントＦＡが、当該受信端末を移動端末の接続されたリンクへ転送する手順とを実行するようにしたことを特徴とする。
【００１４】
上記した特徴によれば、外部ネットワークからゲートウエイＧＷに転送されたＩＰパケットは、その宛先にかかわらず全てのフォーリンエージェントＦＡを経由するので、ゲートウエイＧＷは各移動端末の収容先を管理する必要がなく、ルーティング処理を実行する必要がない。また、ネットワーク内でのルーティング処理が、移動端末を収容しているフォーリンエージェントＦＡに限られるので処理速度が向上する。
【００１５】
【発明の実施の形態】
以下、図面を参照して本発明の好ましい実施の形態について詳細に説明する。図１は、本発明を適用した移動ネットワークの第１実施形態の構成を示したブロック図であり、ゲートウエイＧＷおよび複数（本実施形態では、４つ）のフォーリンエージェントＦＡが、ＧＷ→ＦＡ１→ＦＡ２→ＦＡ３→ＦＡ４→ＧＷの順序でリング状に接続され、ゲートウエイＧＷにおいてインターネット等の外部ネットワークと接続されている。本実施形態では、移動端末発および移動端末宛のＩＰパケットが、このようなリング状の移動ネットワーク（以下、単にリング状ネットワークと表現する場合もある）上を予め決められた一方側（本実施形態では、図中の反時計回り）へ周回される。
【００１６】
第１実施形態では、各ＦＡに収容される移動端末ＭＮがＩＰアドレスを当該リングネットワーク上で取得するので、全てこのネットワークアドレスを持つものとする。そして、当該リング状ネットワークで使用されるＩＰアドレスは、そのプレフィクスＰＦが同一であり、このプレフィクスＰＦを持つＩＰアドレスは全てＧＷが経路制御可能である。なお、後述する第２実施形態では、移動端末ＭＮのＩＰアドレスがホームネットワークのものになっている。
【００１７】
次いで、第１本実施形態における移動端末の位置登録手順およびデータ転送手順を詳細に説明する。
Ａ：位置登録手順
【００１８】
図２、３は、第１実施形態の位置登録手順を示したブロック図およびそのシーケンス図であり、説明に不用なノード（エージェント）は図示を省略している。
【００１９】
ここでは、ホームネットワークに収容されたホームエージェントＨＡのＩＰアドレスをＩＰｈａ、外部ネットワークに接続された相手端末ＣＮのＩＰアドレスをＩＰｃｎ、ゲートウエイＧＷのＩＰアドレスおよびＭＡＣアドレスをそれぞれＩＰｇ，Ｍｇ、フォーリンエージェントＦＡｎ（ＦＡ１，ＦＡ２…ＦＡｎ）のＩＰアドレスおよびＭＡＣアドレスをそれぞれＩＰｆｎ，Ｍｆｎ、移動端末ＭａのＩＰアドレスおよびＭＡＣアドレスをそれぞれＩＰａ，Ｍａとしている。前記ゲートウエイＧＷはさらに、前記ＭＡＣアドレスＭｇとは別にＧＷのみが受信可能なＭＡＣアドレスＭｒを有し、このＭＡＣアドレスＭｒは全てのＦＡにおいて既知である。
【００２０】
（１）  移動端末ＭＮａは、位置登録に先立ってエージェント広告要請をブロードキャストまたはマルチキャストする。
【００２１】
（２）  エージェント広告要請を受信したＦＡ（ここでは、ＦＡ１）は、エージェント広告をブロードキャストまたはマルチキャストする。
【００２２】
（３）  移動端末ＭＮａは、エージェント広告を送信したＦＡ１に対して、自分のＩＰアドレス（ＩＰａ）およびＭＡＣアドレス（Ｍａ）を含む位置登録要求メッセージ（ＲＲＱ）を生成し、これに送信元アドレス（ｓｒｃ）として自身のＩＰアドレス（ＩＰａ）を登録し、宛先アドレス（ｄｓｔ）としてＦＡ１のＩＰアドレスＩＰｆ１を登録して送信する。ここでは、ホームエージェントＨＡのアドレスをＮＵＬＬ（０）としている。
【００２３】
（４）  ＦＡ１は、移動端末ＭＮａからＩＰアドレス（ＩＰａ）およびＭＡＣアドレス（Ｍａ）を受信すると、これらを自ノードのビジターリストへ登録する。
【００２４】
（５）  ＦＡ１はさらに、ビジターリストにホームエージェントＨＡとして有効なアドレスが格納されていない場合には、自身のＩＰアドレス（ＩＰｆ１）およびＭＡＣアドレス（Ｍｆ１）を含む位置登録応答メッセージ（ＲＲＰ）を生成し、これに送信元アドレス（ｓｒｃ）として自身のＩＰアドレス（ＩＰｆ１）を登録し、宛先アドレス（ｄｓｔ）として移動端末ＭＮａのＩＰアドレスＩＰａを登録して送信する。
【００２５】
（６）  移動端末ＭＮａは、ＦＡ１から前記ＲＲＰを受信すると、これに登録されているＩＰアドレス（ＩＰｆ１）をゲートウェイＩＰアドレスとして、自身の経路テーブルに登録する。
Ｂ：相手端末ＣＮ→移動端末ＭＮａのデータ転送手順
【００２６】
図４、５は、外部ネットワーク上の相手端末ＣＮからリング状ネットワーク上の移動端末ＭＮａへのデータ転送手順を示したブロック図およびそのシーケンス図であり、説明に不用なノードの図示は省略している。
【００２７】
（１）  相手端末ＣＮから送信された移動端末ＭＮａ宛のＩＰパケットには、その送信元アドレスとしてＣＮのＩＰアドレス（ＩＰｃｎ）が登録され、宛先アドレスとしてＭＮａのＩＰアドレス（ＩＰａ）が登録されている。このＩＰパケットは、通常のＩＰルーティングによりＧＷに到着する。
【００２８】
（２）  ゲートウエイＧＷは、受信したＩＰパケットに送信元アドレスとして自身のＭＡＣアドレス（Ｍｇ）を付与し、さらに宛先アドレスとして、リング上の予め決められた一方側のリンク（本実施形態では、図中反時計回りのＦＡ２側リンク）に接続されたＦＡ２のＭＡＣアドレス（Ｍｈ２）を付与し、これをＦＡ２側のリンクへ送信する。
【００２９】
（３）  ＧＷからＩＰパケットを受信したＦＡ２は、このＩＰパケットの宛先ＭＡＣアドレスがビジターリストに登録されているか否かを検査し、ここでは未登録なのでそのまま終了する。
【００３０】
（４）  ＦＡ２はさらに、受信したＩＰパケットの送信元アドレスおよび宛先アドレスを、それぞれ自身のＭＡＣアドレス（Ｍｈ２）およびＦＡ１のＭＡＣアドレス（Ｍｈ１）に書き換えて、前記と同様に反時計周りのＦＡ１側のリンクへ転送する。
【００３１】
（５）  ＦＡ１は、ＦＡ２から受信したＩＰパケットの宛先ＭＡＣアドレスがビジターリストに登録されているか否かを検査し、ここでは既登録と判定されるので、当該ＩＰパケットをＭＮａが接続されているリンクへ転送し、ＭＮａがこれを受信する。
【００３２】
（６）  ＦＡ１はさらに、受信したＩＰパケットの送信元アドレスおよび宛先アドレスを、それぞれ自身のＭＡＣアドレス（Ｍｈ１）およびＧＷのＭＡＣアドレス（Ｍｇ）に書き換えて、前記と同様に反時計周りのＧＷ側のリンクへ転送する。
【００３３】
（７）  ＧＷは、ＦＡ１から受信したＩＰパケットを検査し、自分が送出したパケットであれば、これを破棄する。
Ｃ：移動端末ＭＮａ→相手端末ＣＮのデータ転送手順
【００３４】
図６、７は、リング状ネットワーク上の移動端末ＭＮａから外部ネットワーク上の相手端末ＣＮへのデータ転送手順を示したブロック図およびそのシーケンス図であり、説明に不用なノードの図示は省略している。
（１）  移動端末ＭＮａは、送信元アドレスおよび宛先アドレスとして、それぞれ自身のＩＰアドレス（ＩＰａ）およびＣＮのＩＰアドレス（ＩＰｃｎ）が登録されたＣＮ宛のＩＰパケットに、さらに送信元アドレスおよび宛先アドレスとして、それぞれ自身のＭＡＣアドレス（Ｍａ）および自身の経路テーブルにおいてゲートウェイＩＰアドレスとして登録されているＦＡ１のＭＡＣアドレス（Ｍｈ１）を登録して送信する。
（２）  ＦＡ１は、ＭａからＣＮ宛のＩＰパケットを受信すると、その宛先アドレスに基づいて外部ネットワーク宛のＩＰパケットと認識し、これに送信元アドレスおよび宛先アドレスとして、それぞれ自身のＭＡＣアドレス（Ｍｈ１）およびＧＷのＭＡＣアドレス（Ｍｒ）を登録して一方側のリンクへ送信する。
（３）  当該ＩＰパケットはＦＡ３で同様の手順を経てＧＷに転送される。
（４）  ＧＷは、宛先アドレスのプレフィクスがリング外であるか否かを判断する。
（５）  ＧＷは、宛先がリング外であるＩＰパケットを外部ネットワーク側に転送する。外部ネットワークへ転送されたＩＰパケットは、通常のＩＰルーティングに従って相手端末ＣＮへ転送される。
Ｄ：移動端末ＭＮｂ→移動端末ＭＮａのデータ転送手順（リング内通信１）
【００３５】
図８、９は、移動端末ＭＮｂから同ＭＮａへのデータ転送手順を示したブロック図およびそのシーケンス図であり、説明に不用なノードの図示は省略している。
【００３６】
（１）  移動端末ＭＮｂは、送信元ＩＰアドレスおよび宛先ＩＰアドレスとして、それぞれ自身のＩＰアドレス（ＩＰｂ）およびＭＮａのＩＰアドレス（ＩＰａ）が登録されたＭＮａ宛のＩＰパケットに、さらに送信元ＭＡＣアドレスおよび宛先ＭＡＣアドレスとして、それぞれ自身のＭＡＣアドレス（Ｍｂ）および自身の経路テーブルにゲートウェイアドレスとして登録されているＦＡ２のＭＡＣアドレス（Ｍｈ２）を登録して送信する。
【００３７】
（２）  ＦＡ２は、ＭＮｂから受信したＩＰパケットの送信元ＭＡＣアドレスおよび宛先ＭＡＣアドレスを、それぞれ自身のＭＡＣアドレスＭｈ２およびＦＡ１のＭＡＣアドレスＭｈ１に書き換えて、予め決められたＦＡ１側のリンクへ送信する。
【００３８】
（３）  ＦＡ１は、受信したＩＰパケットの宛先ＭＡＣアドレスがビジターリストに既登録であるか否かを検査し、ここでは既登録なので、ＭＮａが接続されているリンクへ転送し、ＭＮａがこれを受信する。
【００３９】
（４）  ＦＡ１はさらに、受信したＩＰパケットの送信元ＭＡＣアドレスおよび宛先ＭＡＣアドレスを、それぞれ自身のＭＡＣアドレス（Ｍｈ１）およびＧＷのＭＡＣアドレス（Ｍｇ）に書き換えて、予め決められたＧＷ側のリンクへ送信する。
【００４０】
（５）  ＧＷは、受信したＩＰパケットの送信元ＭＡＣアドレスおよび宛先ＭＡＣアドレスを、それぞれ自身のＭＡＣアドレス（Ｍｇ）およびＦＡ２のＭＡＣアドレス（Ｍｈ２）に書き換えて、予め決められたＦＡ２側のリンクへ送信する。
【００４１】
（６）  ＦＡ２は受信したＩＰパケットを検査し、自分が送出したパケットであれば破棄する。
Ｅ：移動端末ＭＮａ→移動端末ＭＮｂのデータ転送手順（リング内通信２）
【００４２】
図１０、１１は、移動端末ＭＮａから同ＭＮｂへのデータ転送手順を示したブロック図およびそのシーケンス図であり、説明に不用なノードの図示は省略している。
【００４３】
（１）  移動端末ＭＮａ  は、送信元ＩＰアドレスおよび宛先ＩＰアドレスとして、それぞれ自身のＩＰアドレス（ＩＰａ）およびＭＮｂのＩＰアドレス（ＩＰｂ）が登録されたＭＮｂ宛のＩＰパケットに、さらに送信元ＭＡＣアドレスおよび宛先ＭＡＣアドレスとして、それぞれ自身のＭＡＣアドレス（Ｍａ）および自身の経路テーブルにおいてゲートウェイアドレスとして登録されているＦＡ１のＭＡＣアドレス（Ｍｈ１）を登録して送信する。
【００４４】
（２）  ＭＮｂ宛のＩＰパケットを受信したＦＡ１は、ＭＮｂのアドレスがリング内であることから、受信したＩＰパケットの送信元ＭＡＣアドレスおよび宛先ＭＡＣアドレスを、それぞれ自身のＭＡＣアドレス（Ｍｈ１）およびＧＷのＭＡＣアドレス（Ｍｇ）に書き換えて、予め決められたＧＷ側のリンクへ送信する。
【００４５】
（３）  このＩＰパケットを受信したＧＷは、宛先アドレスがリング内であると判断した後、その送信元ＭＡＣアドレスおよび宛先ＭＡＣアドレスを、それぞれ自身のＭＡＣアドレス（Ｍｇ）およびＦＡ２のＭＡＣアドレス（Ｍｈ２）に書き換えて、予め決められたＦＡ２側のリンクへ送信する。
【００４６】
（４）  ＦＡ２は、受信したＩＰパケットの宛先アドレスがビジターリストに既登録であるか否かを検査し、ここでは既登録なので、このＩＰパケットをＭＮｂが接続されているリンクへ転送し、ＭＮａがこれを受信する。
【００４７】
（５）  ＦＡ２はさらに、受信したＩＰパケットのＭＡＣアドレスを前記と同様に書き換えてＦＡ１側へ転送する。
【００４８】
（６）  ＦＡ１は受信したＩＰパケットを検査し、自分が送出したパケットであれば破棄する。
Ｆ：移動端末ＭＮａのハンドオフ手順
【００４９】
図１２、１３は、移動端末ＭＮａのハンドオフ手順を示したブロック図およびそのシーケンス図であり、説明に不用なノードの図示は省略している。
【００５０】
（１）  移動端末ＭＮａが時刻ｔ１でＦＡ１に位置登録し、その後、ＦＡ２へ移動（ハンドオフ）して時刻ｔ２でＦＡ２への位置登録を前記と同様に完了する。
【００５１】
（２）  ＦＡ２は、予め決められた時間Δｔの経過後、ＭＮａのＩＰアドレス（ＩＰａ）およびＦＡ２への位置登録完了時刻ｔ２の登録された、エントリの削除要求メッセージを一方側のリンクに転送し、ＧＷがこれを受信する。
【００５２】
（３）  ＧＷは、受信した削除要求メッセージを一方側のリンクへ転送する。
【００５３】
（４）  削除要求メッセージを受信したＦＡ１はビジターリストを参照し、ＭＮａに関するエントリがあれば、その位置登録時刻（ｔ１）と削除要求メッセージに登録された時刻情報（ｔ２）を比較する。そして、Ｔ１＜Ｔ２ならば当該エントリを削除し、Ｔ１＞Ｔ２ならば、当該エントリの方が新しい位置登録であると判断して削除しない。
【００５４】
（５）  ＦＡ１はさらに、削除要求メッセージをＦＡ２へ転送する。
【００５５】
（６）  ＦＡ２は受信した削除要求メッセージを検査し、自身が送出した削除要求メッセージであれば、これを破棄する。
【００５６】
このように、本実施形態によれば、外部ネットワークからＧＷに転送されたＩＰパケットは、その宛先にかかわらず全てのＦＡを経由するので、ＧＷは各移動端末の収容先を管理する必要がなく、ルーティング処理を実行する必要がない。また、ネットワーク内でのルーティング処理が、移動端末を収容しているＦＡに限られるので処理速度が向上する。
【００５７】
さらに、本実施形態では移動端末ＭＮの位置登録先がＦＡに限られ、ＨＡへの位置登録が不要なので、ＦＡへの位置登録直後から通信が可能になり、モバイルＩＰ標準のｓｉｍｕｌｔａｎｅｏｕｓ  ｂｉｎｄｉｎｇｓと等価の機能を簡単に実現できるようになる。
【００５８】
さらに、本実施形態ではＧＷが移動端末ＭＮ宛のパケットを受信しても、その収容先のＦＡを認識する必要がなく、全て予め定められた一方側のリンクへ転送するだけで良い。したがって、受信パケットの宛先アドレスに基づいて、その宛先のＭＡＣアドレスを認識するためのＡＲＰ（ａｄｄｒｅｓｓ  ｒｅｓｏｌｕｔｉｏｎ  ｐｒｏｔｏｃｏｌ）の送信手順や、ＡＲＰに対して返信されるＭＡＣアドレスを受信する手順等が不要になるのでスループットが向上する。
【００５９】
次いで、本発明を適用したリング状ネットワークの第２実施形態の構成について説明する。本実施形態では、移動端末ＭＮａにホームネットワークのＩＰアドレス（ＩＰＡ）が割り当てられ、移動端末ＭＮｂにリンク状ネットワークのＩＰアドレス（ＩＰｂ）が割り当てられている。
Ｇ：位置登録手順
【００６０】
図１４、１５は、本発明の第２実施形態における位置登録手順を示したブロック図およびそのシーケンス図であり、説明に不用なノードの図示は省略している。
（１）  移動端末ＭＮａは、位置登録に先立ってエージェント広告要請をブロードキャストまたはマルチキャストする。
（２）  エージェント広告要請を受信したＦＡ１はエージェント広告をブロードキャストまたはマルチキャストする。エージェント広告内のＣｏＡ（Ｃａｒｅ  Ｏｆ  Ａｄｒｅｓｓ：気付けアドレス）はＧＷのＩＰアドレス（ＩＰｇ）とする。
（３）  ＭＮａは、エージェント広告を送信したＦＡ１に対して、ホームエージェントをＨＡのＩＰアドレス（ＩＰｈａ）、ホームアドレス（ＨｏＡ）をホームネットワーク上での自アドレス（ＩＰＡ）、ＣｏＡをＧＷのＩＰアドレス（ＩＰｇ）とした位置登録要求メッセージＲＲＱを送信する。
（４）  ＦＡ１は、ＭＮａに関する情報として、そのＩＰアドレス（ＩＰＡ），ＭＡＣアドレス（Ｍａ）およびＨＡのＩＰアドレス（ＩＰｈａ）をビジターリストに格納し、ＨＡに宛てて前記ＲＲＱを転送する。このＲＲＱはＧＷを経由してＨＡに転送される。
（５）  前記ＲＲＱを受信したＨＡは、自身のバインディングリスト（Ｂｉｎｄｉｎｇ  ｌｉｓｔ）にＭＮａのエントリとして、そのＩＰアドレス（ＩＰＡ）およびＣｏＡを登録する。
（６）  ＨＡは、前記ＲＲＱを送信したＦＡ１に宛てて位置登録応答メッセージＲＲＰを送信する。このＲＲＰはＧＷを経由してＦＡ１に転送される。
（７）  前記ＲＲＰを受信したＦＡ１は、これをＭＮａへ転送する。
Ｈ：相手端末ＣＮ→移動端末ＭＮａのデータ転送手順
【００６１】
図１６、１７は、外部ネットワーク上の相手端末ＣＮから移動端末ＭＮａへのデータ転送手順を示したブロック図およびそのシーケンス図であり、説明に不用なノードの図示は省略している。
【００６２】
（１）  相手端末ＣＮから移動端末ＭＮａ宛のＩＰパケットは通常のＩＰルーティングによりホームエージェントＨＡに到着する。
【００６３】
（２）  ＨＡは自身のバインディングリストを参照し、受信したＩＰパケットの宛先アドレス（ＩＰＡ）に関してＣｏＡが登録されていることを確認する。そして、このＩＰパケットをカプセル化し、気付けアドレス（ＩＰｇ）を付与して転送する。
【００６４】
（３）  ＧＷは、カプセル化されたパケットを受信して解除し、そのＩＰパケットに送信元ＭＡＣアドレスおよび宛先ＭＡＣアドレスとして、それぞれ自身のＭＡＣアドレス（Ｍｇ）およびＦＡ２のＭＡＣアドレス（Ｍｈ２）を登録してＦＡ２側のリンクへ転送する。
【００６５】
（４）  ＦＡ２は、受信したＩＰパケットの宛先アドレスがビジターリストに登録されているか否かを検査し、ここでは未登録なので移動端末側への転送処理は行わない。
【００６６】
（５）  ＦＡ２はさらに、受信したＩＰパケットの送信元ＭＡＣアドレスおよび宛先ＭＡＣアドレスを前記と同様に書き換えてＦＡ１側のリンクへ転送する。
【００６７】
（６）  ＦＡ１は、受信したＩＰパケットの宛先アドレスがビジターリストに既登録であるか否かを検査し、ここでは既登録なので、受信パケットをＭＮａが接続されているリンクへも転送し、ＭＮａがこれを受信する。
【００６８】
（７）  ＦＡ１はさらに、受信パケットの送信元ＭＡＣアドレスおよび宛先ＭＡＣアドレスを前記と同様に書き換えてＧＷ側のリンクへ転送する。
【００６９】
（８）  ＧＷは受信したＩＰパケットを検査し、自身が送信したパケットであれば破棄する。
Ｉ：移動端末ＭＮａ→相手端末ＣＮのデータ転送手順
【００７０】
図１８、１９は、移動端末ＭＮａから外部ネットワーク上の相手端末ＣＮへのデータ転送手順を示したブロック図およびそのシーケンス図であり、説明に不用なノードの図示は省略している。
【００７１】
（１）  ＭＮａの経路テーブルには、ゲートウェイアドレスとしてのＦＡ１のＭＡＣアドレス（Ｍｈ１）が登録されているので、ＣＮ宛のＩＰパケットはＦＡ１に転送される。
【００７２】
（２）  ＩＰパケットを受信したＦＡ１は、宛先ＩＰアドレス（ＩＰｃｎ）がリング外であることから、宛先ＭＡＣアドレスをリング外アドレスの総称であるＭｒに書き換えてリング上の規定方向に転送する。
【００７３】
（３）  当該ＩＰパケットはＦＡ３が受信するが、宛先ＭＡＣアドレスがＭｒであることからビジターリストの検査を行わず、そのままＧＷに転送する。
【００７４】
（４）  このＩＰパケットを受信したＧＷは、宛先アドレスがリング外であると判断し、これを外部ネットワーク側に転送する。外部ネットワークに転送されたＩＰパケットは、通常のＩＰルーティングに従ってＣＮへ転送される。
Ｊ：移動端末ＭＮｂ→移動端末ＭＮａのデータ転送手順（リング内通信１）
【００７５】
図２０、２１は、移動端末ＭＮｂから同ＭＮａへのデータ転送手順を示したブロック図であり、図２２は、そのシーケンス図である。
【００７６】
（１）  ＭＮｂの経路テーブルにはゲートウェイアドレスとしてＦＡ２のＭＡＣアドレス（Ｍｈ２）が登録されているので、ＭＮａ宛のＩＰパケットはＦＡ２に転送される。
【００７７】
（２）  ＭＮａ宛のＩＰパケットを受信したＦＡ１は、宛先であるＭＮａのアドレス（ＩＰＡ）がリング外であることから、あて先ＭＡＣアドレスを（Ｍｒ）としてリング上の規定方向に転送する。
【００７８】
（３）  ＩＰパケットを受信したＦＡ１は、宛先ＭＡＣアドレスがＭｒであることから、ビジターリストを参照することなくＧＷに転送する。
【００７９】
（４）  ＩＰパケットを受信したＧＷは、宛先がリング外であると判断して外部ネットワーク側に転送する。外部ネットワークに送出されたＩＰパケットは、通常のＩＰルーティングに従ってホームエージェントＨＡへ転送される。
【００８０】
（５）  ＨＡは自身のバインディングリストを参照し、受信したＩＰパケットの宛先アドレス（ＩＰＡ）に関してＣｏＡが登録されていることを確認する。そして、このＩＰパケットをカプセル化し、気付けアドレス（ＩＰｇ）を付与して転送する。
【００８１】
（６）  ＧＷは、カプセル化されたパケットを受信して解除し、そのＩＰパケットに送信元ＭＡＣアドレスおよび宛先ＭＡＣアドレスとして、それぞれ自身のＭＡＣアドレス（Ｍｇ）およびＦＡ２のＭＡＣアドレス（Ｍｈ２）を登録してＦＡ２側のリンクへ転送する。
【００８２】
（７）  ＦＡ２は、受信したＩＰパケットの宛先アドレスがビジターリストに登録されているか否かを検査し、ここでは未登録なので移動端末側への転送処理は行わない。
【００８３】
（８）  ＦＡ２はさらに、受信したＩＰパケットの送信元ＭＡＣアドレスおよび宛先ＭＡＣアドレスを前記と同様に書き換えてＦＡ１側のリンクへ転送する。
【００８４】
（９）  ＦＡ１は、受信したＩＰパケットの宛先アドレスがビジターリストに既登録であるか否かを検査し、ここでは既登録なので、受信パケットをＭＮａが接続されているリンクへも転送し、ＭＮａがこれを受信する。
【００８５】
（１０）  ＦＡ１はさらに、受信したＩＰパケットの送信元ＭＡＣアドレスおよび宛先ＭＡＣアドレスを前記と同様に書き換えてＧＷ側のリンクへ転送する。
【００８６】
（１１）  ＧＷは、受信したＩＰパケットを検査し、自身が送信したパケットであれば破棄する。
Ｋ：移動端末ＭＮａ→移動端末ＭＮｂ方向のデータ転送手順（リング内通信２）
【００８７】
本手順はＭＮｂがリング内のアドレスであることから、前記図１０，１１に関して説明した手順と同様である。
【００８８】
本実施形態によれば、移動端末Ｍａがホームネットワークのアドレスを有している場合でも、リング状ネットワークにおいて高スループットの通信が可能になる。
【００８９】
図２３は、本発明を適用した移動ネットワークの第３実施形態の構成を示したブロック図であり、ゲートウエイＧＷおよび複数（本実施形態では、４つ）のフォーリンエージェントＦＡが、ＧＷを先頭にしてＧＷ→ＦＡ１→ＦＡ２→ＦＡ３→ＦＡ４の順序でライン状に数珠繋ぎされ、ゲートウエイＧＷにおいてインターネット等の外部ネットワークと接続されている。
【００９０】
次いで、このようなライン状の移動ネットワークにおける移動端末の位置登録手順およびデータ転送手順を詳細に説明する。
Ｌ：位置登録手順
【００９１】
図２４は位置登録手順を示したブロック図であり、そのシーケンス図は前記図３と同一なので、ここでは図示を省略する。
【００９２】
（１）  移動端末ＭＮａは、位置登録に先立ってエージェント広告要請をブロードキャストまたはマルチキャストする。
【００９３】
（２）  エージェント広告要請を受信したＦＡ（ここでは、ＦＡ１）は、エージェント広告をブロードキャストまたはマルチキャストする。
【００９４】
（３）  移動端末ＭＮａは、エージェント広告を送信したＦＡ１に対して、自分のＩＰアドレス（ＩＰａ）およびＭＡＣアドレス（Ｍａ）を含む位置登録要求メッセージを送信する。
【００９５】
（４）  ＦＡ１は、移動端末ＭＮａからＩＰアドレス（ＩＰａ）およびＭＡＣアドレスを受信すると、これらを自ノードのビジターリストに登録する。
【００９６】
（５）  ＦＡ１はさらに、自身のＩＰアドレス（ＩＰｆ１）およびＭＡＣアドレス（Ｍｆ１）を含む位置登録応答メッセージを移動端末ＭＮａへ送信する。
【００９７】
（６）  移動端末ＭＮａは、ＦＡ１からＩＰアドレス（ＩＰｆ１）およびＭＡＣアドレス（Ｍｆ１）を受信すると、ＩＰアドレス（ＩＰｆ１）をゲートウェイＩＰアドレスとして、自身の経路テーブルに登録する。
Ｍ：相手端末ＣＮ→移動端末ＭＮａのデータ転送手順
【００９８】
図２５、２６は、外部ネットワーク上の相手端末ＣＮから移動端末ＭＮａへのデータ転送手順を示したブロック図およびそのシーケンス図である。
【００９９】
（１）  相手端末ＣＮから移動端末ＭＮａ宛のＩＰパケットは通常のＩＰルーティングによりゲートウェイＧＷに到着する。
【０１００】
（２）  ＧＷは、受信したＩＰパケットの宛先アドレスがライン内であると判断し、当該パケットをリンクＬ１へ転送する。
【０１０１】
（３）  ＧＷが送信したＩＰパケットを受信したＦＡ１は、受信したＩＰパケットを下流（反ＧＷ側）のリンクＬ２へ転送する。
【０１０２】
（４）  ＦＡ１はさらに、受信したＩＰパケットの宛先アドレスがビジターリストに登録されているか否かを検査し、既登録であれば、ＭＮａが接続されている方向（リンクＬ４）へも転送し、ＭＮａがこれを受信する。
【０１０３】
（５）  ＦＡ２は、受信したＩＰパケットを下流のリンクＬ３へ転送する。
【０１０４】
（６）  ＦＡ２はさらに、受信したＩＰパケットの宛先アドレスがビジターリストに登録されているか否かを検査し、ここでは未登録なのでそのまま終了する。
【０１０５】
（７）  ＦＡ３は、受信したＩＰパケットを下流のリンクＬ４へ転送する。
【０１０６】
（８）  ＦＡ３はさらに、受信したＩＰパケットの宛先アドレスがビジターリストに登録されているか否かを検査し、ここでは未登録なのでそのまま終了する。
【０１０７】
（９）  ＦＡ４は、受信したＩＰパケットの宛先アドレスがビジターリストに登録されているか否かを検査し、ここでは未登録なのでそのまま終了する。
【０１０８】
（１０）  ＦＡ４はさらに、後段にＦＡが存在しないので、受信したＩＰパケットを破棄する。
Ｎ：移動端末ＭＮａ→相手端末ＣＮのデータ転送手順
【０１０９】
図２７，２８は、移動端末ＭＮａから外部ネットワーク上の相手端末ＣＮへのデータ転送手順を示したブロック図およびシーケンス図であり、ここでは、説明に不用なノードの図示は省略している。
【０１１０】
（１）  移動端末ＭＮａの経路テーブルにおいて、ゲートウェイＩＰアドレスとして登録されているＦＡ１へ、ＣＮ宛のＩＰパケットが転送される。
【０１１１】
（２）  ＦＡ１は、リンクＬ４よりＣＮ宛のＩＰパケットを受信すると、その宛先アドレスが外部ネットワークであると判断し、これを上流側（ＧＷ側）のリンクＬ１へ転送する。
【０１１２】
（３）  ＩＰパケットを受信したＧＷは、宛先アドレスのプレフィクスがリング外であると判断し、これを外部ネットワーク側に転送する。外部ネットワークへ転送されたＩＰパケットは、通常のＩＰルーティングに従って相手端末ＣＮへ転送される。
Ｏ：移動端末ＭＮａのハンドオフ手順
【０１１３】
図２９，３０は、移動端末ＭＮａのハンドオフ手順を示したブロック図およびそのシーケンス図である。
【０１１４】
（１）  移動端末ＭＮａが時刻ｔ１でＦＡ１に位置登録し、その後、ＦＡ２へ移動（ハンドオフ）して時刻ｔ２でＦＡ２への位置登録を前記と同様に完了する。
【０１１５】
（２）  ＦＡ２は、予め決められた時間Δｔの経過後、ＭＮａのＩＰアドレス（ＩＰａ）およびＦＡ２への位置登録完了時刻ｔ２の登録された、エントリの削除要求メッセージを一方側および他方側のリンクＬ３，Ｌ２に転送する。
【０１１６】
（３）  削除要求メッセージを受信したＦＡ１，Ｆ３はビジターリストを参照し、ＭＮａに関するエントリがあれば、その位置登録時刻（ｔ１）と削除要求メッセージに登録された時刻情報（ｔ２）を比較する。そして、Ｔ１＜Ｔ２ならば当該エントリを削除し、Ｔ１＞Ｔ２ならば、当該エントリの方が新しい位置登録であると判断して削除しない。
【０１１７】
本発明によれば、上記した第１実施形態と同様に、外部ネットワークからＧＷに転送されたＩＰパケットは、その宛先にかかわらず全てのＦＡを経由するので、ＧＷは各移動端末の収容先を管理する必要がなく、またルーティング処理を実行する必要がない。また、ネットワーク内でのルーティング処理が、移動端末を収容しているＦＡに限られるので処理速度が向上する。
【０１１８】
さらに、本実施形態を第１、第２実施形態と比較すれば、最後尾のＦＡ（ＦＡ４）からＧＷへＩＰパケットを戻す必要がないのみならず、途中のＦＡ（ＦＡ１，ＦＡ２，ＦＡ３）が収容端末から受信したＩＰパケットは、当該ＦＡよりも下流側（反ＧＷ側）のＦＡを経由することなくＧＷへ到達するので、第１、第２実施形態に較べて経路の短縮およびそれに伴う処理速度の向上が可能になる。
【０１１９】
【発明の効果】
本発明によれば、以下のような効果が達成される。
（１）ＦＡをリング上に接続することによりＦＡ間のルーティングを省き、移動端末が局所的に移動する状況において従来よりも高速なデータ転送が実現可能になる。（２）各ＦＡは自身が収容する移動端末のアドレスのみを格納すればよいので、移動端末数が増加してもＦＡの記憶領域を増加させる必要ない。
（３）移動端末が新しいＦＡへ移動した際には、ＦＡへの位置登録が終了した直後から通信が可能になるので、ハンドオーバの短い通信が可能になる。
【図面の簡単な説明】
【図１】本発明を適用した移動ネットワークの第１実施形態の構成を示したブロック図である。
【図２】第１実施形態の位置登録手順を示したブロック図である。
【図３】第１実施形態の位置登録手順を示したシーケンス図である。
【図４】第１実施形態の相手端末ＣＮ→移動端末ＭＮａのデータ転送手順を示したブロック図である。
【図５】第１実施形態の相手端末ＣＮ→移動端末ＭＮａのデータ転送手順を示したシーケンス図である。
【図６】第１実施形態の移動端末ＭＮａ→相手端末ＣＮのデータ転送手順を示したブロック図である。
【図７】第１実施形態の移動端末ＭＮａ→相手端末ＣＮのデータ転送手順を示したシーケンス図である。
【図８】第１実施形態の移動端末ＭＮｂ→移動端末ＭＮａのデータ転送手順を示したブロック図である。
【図９】第１実施形態の移動端末ＭＮｂ→移動端末ＭＮａのデータ転送手順を示したシーケンス図である。
【図１０】第１実施形態の移動端末ＭＮａ→移動端末ＭＮｂのデータ転送手順を示したブロック図である。
【図１１】第１実施形態の移動端末ＭＮａ→移動端末ＭＮｂのデータ転送手順を示したシーケンス図である。
【図１２】第１、第２実施形態の移動端末ＭＮａのハンドオフ手順を示したブロック図である。
【図１３】第１、第２実施形態の移動端末ＭＮａのハンドオフ手順を示したシーケンス図である。
【図１４】第２実施形態の位置登録手順を示したブロック図である。
【図１５】第２実施形態の位置登録手順を示したシーケンス図である。
【図１６】第２実施形態の相手端末ＣＮ→移動端末ＭＮａのデータ転送手順を示したブロック図である。
【図１７】第２実施形態の相手端末ＣＮ→移動端末ＭＮａのデータ転送手順を示したシーケンス図である。
【図１８】第２実施形態の移動端末ＭＮａ→相手端末ＣＮのデータ転送手順を示したブロック図である。
【図１９】第２実施形態の移動端末ＭＮａ→相手端末ＣＮのデータ転送手順を示したシーケンス図である。
【図２０】第２実施形態の移動端末ＭＮｂ→移動端末ＭＮａのデータ転送手順（その１）を示したブロック図である。
【図２１】第２実施形態の移動端末ＭＮｂ→移動端末ＭＮａのデータ転送手順（その２）を示したブロック図である。
【図２２】第２実施形態の移動端末ＭＮｂ→移動端末ＭＮａのデータ転送手順を示したシーケンス図である。
【図２３】本発明を適用した移動ネットワークの第２実施形態の構成を示したブロック図である。
【図２４】第２実施形態の位置登録手順を示したブロック図である。
【図２５】第２実施形態の相手端末ＣＮ→移動端末ＭＮａのデータ転送手順を示したブロック図である。
【図２６】第２実施形態の相手端末ＣＮ→移動端末ＭＮａのデータ転送手順を示したシーケンス図である。
【図２７】第２実施形態の移動端末ＭＮａ→相手端末ＣＮのデータ転送手順を示したブロック図である。
【図２８】第２実施形態の移動端末ＭＮａ→相手端末ＣＮのデータ転送手順を示したシーケンス図である。
【図２９】第１実施形態の移動端末ＭＮａのハンドオフ手順を示したブロック図である。
【図３０】第１実施形態の移動端末ＭＮａのハンドオフ手順を示したシーケンス図である。
【図３１】位置登録を局所的に行う際のネットワーク構成を示した図である。
【図３２】ＦＡを階層的に配置した際に各ＦＡが収容すべき移動端末の情報を模式的に表現した図である。
【符号の説明】ＣＮ…相手端末，ＦＡ…フォーリンエージェント，ＧＷ…ゲートウエイ，ＨＡ…ホームエージェント，ＩＰａ…移動端末ＭＮのＩＰアドレス，ＩＰｃ…相手端末ＣＮのＩＰアドレス，ＩＰｆｎ…フォーリンエージェントＦｎのＩＰアドレス，Ｍａ…移動端末ＭＮａのＭＡＣアドレス，ＭＮａ…移動端末
【図１】
2004282473.tif 000003
【図２】
2004282473.tif 000004
【図３】
2004282473.tif 000005
【図４】
2004282473.tif 000006
【図５】
2004282473.tif 000007
【図６】
2004282473.tif 000008
【図７】
2004282473.tif 000009
【図８】
2004282473.tif 000010
【図９】
2004282473.tif 000011
【図１０】
2004282473.tif 000012
【図１１】
2004282473.tif 000013
【図１２】
2004282473.tif 000014
【図１３】
2004282473.tif 000015
【図１４】
2004282473.tif 000016
【図１５】
2004282473.tif 000017
【図１６】
2004282473.tif 000018
【図１７】
2004282473.tif 000019
【図１８】
2004282473.tif 000020
【図１９】
2004282473.tif 000021
【図２０】
2004282473.tif 000022
【図２１】
2004282473.tif 000023
【図２２】
2004282473.tif 000024
【図２３】
2004282473.tif 000025
【図２４】
2004282473.tif 000026
【図２５】
2004282473.tif 000027
【図２６】
2004282473.tif 000028
【図２７】
2004282473.tif 000029
【図２８】
2004282473.tif 000030
【図２９】
2004282473.tif 000031
【図３０】
2004282473.tif 000032
【図３１】
2004282473.tif 000033
【図３２】
2004282473.tif 000034